(57)【要約】      （修正有）【課題】浴槽と循環アダプターとの接続部から漏れ出す漏水を排水することができる浴室ユニットを提供する。【解決手段】浴槽２と、浴槽２に隣接する洗い場に設けられた洗い場パンと、浴槽２の洗い場側の側面を覆う浴槽エプロンと、浴槽２の側面２ｄに設けられ給湯及び追焚用の配管２０Ａ，２０Ｂが接続された循環アダプター８と、循環アダプター８の下方に設けられたトレイ状の漏水受具９と、第１端末１４ａが漏水受具９の底部９ｅに接続され、第２端末１４ｂが浴槽エプロンの裏面に接続された排水路１４と、を有し、浴槽エプロンは、排水路１４の第２端末１４ｂが接続される端末接続部と端末接続部に連通し浴槽エプロンの下端部に開口する貫通孔を備え、貫通孔が開口する浴槽エプロンの下端部が、洗い場パンの床面から離間した上方に位置している。【選択図】図３
2015029862.tif 000002
【特許請求の範囲】
【請求項１】
浴槽と、
当該浴槽に隣接する洗い場に設けられた洗い場パンと、
前記浴槽の洗い場側の側面を覆う浴槽エプロンと、
前記浴槽の側面に設けられ給湯及び追焚用の配管が接続された循環アダプターと、
前記循環アダプターの下方に設けられたトレイ状の漏水受具と、
第１端末が前記漏水受具の底部に接続され、第２端末が前記浴槽エプロンの裏面に接続された排水路と、を有し、
前記浴槽エプロンは、前記排水路の第２端末が接続される端末接続部と当該端末接続部に連通し前記浴槽エプロンの下端部に開口する貫通孔を備え、
前記貫通孔が開口する前記浴槽エプロンの下端部が、前記洗い場パンの床面から離間した上方に位置していることを特徴とする浴室ユニット。
【請求項２】
前記端末接続部及び前記貫通孔が、前記浴槽エプロンと一体成形により形成されていることを特徴とする請求項１に記載の浴室ユニット。
【請求項３】
前記浴槽エプロンの端末接続部に前記排水路の第２端末を接続させた嵌合部を形成し、
当該嵌合部において、前記排水路の第２端末が前記浴槽エプロンの端末接続部に対し、前記浴槽エプロンの面に沿って回動自在であることを特徴とする請求項１又は２に記載の浴室ユニット。
【請求項４】
前記浴槽エプロンの端末接続部が円形の接続穴を有し、
前記第２端末の先端部が前記接続穴に嵌合可能な円形に形成され、
前記第２端末の先端部を前記接続穴に挿入することで嵌合部を係止し接続されたことを特徴とする請求項３に記載の浴室ユニット。
【請求項５】
前記排水路の第２端末が係止片を有しており、当該係止片により前記第２端末を前記端末接続部に取り付けられたことを特徴とする請求項１〜４の何れか一項に記載の浴室ユニット。
【請求項６】
前記係止片が、前記排水路の第２端末と一体成形により形成されていることを特徴とする請求項５に記載の浴室ユニット。
【発明の詳細な説明】
【技術分野】
【０００１】
本発明は、浴槽と循環アダプターとの接続部から漏れ出す漏水を排水することができる浴室ユニットに関するものである。
【背景技術】
【０００２】
浴槽と、当該浴槽に給湯、追焚等を行うための燃焼機器とを連絡するには、浴槽の側壁に開孔を設け、当該開孔に循環アダプターを介して配管を接続するのが一般的な手法である。この循環アダプターと配管との接続部にはパッキンが装着される。しかしながら、パッキンの老朽化等により接続部から漏水する虞があるため、この漏水に備えた構造が必要となる。
【０００３】
図８（ａ）、（ｂ）は、特許文献１に記載された漏水の排水構造６１を示すものである。この排水構造６１では、浴槽５０の側壁５１に設けられた開孔５３に循環用配管５５が接続されるとともに、前記開孔５３が浴槽５０の側壁５１に密着させた漏水受けボックス５２で覆われている。この漏水受けボックス５２の底部５４には、排水管５６が接続されており、当該排水管５６の流出端５７が洗い場６０の排水部５８の上方において、洗い場立壁５９（エプロン）に開口している。
【０００４】
図９（ａ）、（ｂ）は、特許文献２に記載された漏水の排水構造８５を示すものである。この排水構造８５は、浴槽７１の側壁７１ａに配管（図示略）を接続するための開孔７３が設けられ、当該開孔７３の下方に漏水受け７４が備えられている。この漏水受け７４の底部７６には排水管７７が接続され、この排水管７７の排出端７７ａは、洗い場７２に設けられたカウンター７８の下部を通り、洗い場７２に対面しないカウンター立壁７９（エプロン）に開口している。また、この排水管７７の排出端７７ａは、洗い場排出部８３の上方に位置している。
【０００５】
図１０は、特許文献３に記載された浴室ユニット外の装置から排出されたドレン水の排水構造９０を示すものである。この浴室ユニットは、床パン９２を設置した洗い場９１と浴槽９３を設置した浴槽設置部９５を有している。この浴槽９３と洗い場９１の間には、浴槽９３側から順に主エプロン９６、及び化粧エプロン９７が設けられている。排水構造９０は、ドレン水を導入する９８の下流端９８ａが前記主エプロン９６に形成した挿通孔９６ａに挿通され開口した構成となっており、前記下流端９８ａは化粧エプロン９７によって見えないように構成されている。
【先行技術文献】
【特許文献】
【０００６】
【特許文献１】特開昭６４−７５８５３号公報
【特許文献２】実開平３−３２６６５号公報
【特許文献３】特開２００９−１７２３１１号公報
【発明の概要】
【発明が解決しようとする課題】
【０００７】
図８（ａ）、（ｂ）に示す特許文献１に記載の排水構造６１は、排水管５６の流出端５７を洗い場６０に開口させる構造を採用しており、流出端が洗い場側より直接見えるため見栄えが悪い。また、洗い場側の汚水が排水管へ入り込み、管詰まりを起こしやすいという問題があった。
また、図９（ａ）、（ｂ）に示す特許文献２に記載の排水構造８５は、排水管７７の排出端７７ａが、洗い場７２に対面しないカウンター立壁７９に開口しているため、使用者に見えづらくなってはいるが、全く見えない位置ではないため、未だに外観を損ねていた。
図１０に示す特許文献３に記載の排水構造９０では、排水路の下流端が、洗い場９１側から見えなくなり見栄えは向上するが、主エプロン９６と化粧エプロン９７をそれぞれ個別に用意する必要があるため、部品点数の増加により部材コストと施工工数双方の増加を招くという問題があった。
【０００８】
加えて、特許文献１〜特許文献３に記載の排水構造６１、８５、９０では、排水がエプロンを伝って下方に流れ落ちる構造のため、排水が伝う流出面に汚れや水垢が付着し、この部分が変色する。したがって、清掃の手間が増えるとともに、見栄えを損ねるといった問題があった。
【０００９】
本発明は、上記の従来の問題点を鑑みなされたものである。即ち、エプロンに設けた漏水の排水端が、浴室の利用や清掃中でも視界に入らず、また、洗い場側の湯水が排水管に入り込む事を防止でき、さらに部材コストと施工工数の低減を図り、加えて、漏水による汚れが付きにくく清掃作業を軽減できる、外観に優れた浴室ユニットの提供を目的とする。
【課題を解決するための手段】
【００１０】
本発明の浴室ユニットは、上述課題を解決する手段として、以下の構成を有する。
（１）  浴槽と、当該浴槽に隣接する洗い場に設けられた洗い場パンと、前記浴槽の洗い場側の側面を覆う浴槽エプロンと、前記浴槽の側面に設けられ給湯及び追焚用の配管が接続された循環アダプターと、前記循環アダプターの下方に設けられたトレイ状の漏水受具と、第１端末が前記漏水受具の底部に接続され、第２端末が前記浴槽エプロンの裏面に接続された排水路と、を有し、前記浴槽エプロンは、前記排水路の第２端末が接続される端末接続部と当該端末接続部に連通し前記浴槽エプロンの下端部に開口する貫通孔を備え、前記貫通孔が開口する前記浴槽エプロンの下端部が、前記洗い場パンの床面から離間した上方に位置していることを特徴とする浴室ユニット。
【００１１】
（２）  前記端末接続部及び前記貫通孔が、前記浴槽エプロンと一体成形により形成されていることを特徴とする（１）に記載の浴室ユニット。
【００１２】
（３）  前記浴槽エプロンの端末接続部に前記排水路の第２端末を接続させた嵌合部を形成し、当該嵌合部において、前記排水路の第２端末が前記浴槽エプロンの端末接続部に対し、前記浴槽エプロンの面に沿って回動自在であることを特徴とする（１）又は（２）に記載の浴室ユニット。
【００１３】
（４）  前記浴槽エプロンの端末接続部が円形の接続穴を有し、前記第２端末の先端部が前記接続穴に嵌合可能な円形に形成され、前記第２端末の先端部を前記接続穴に挿入することで嵌合部を係止し接続されたことを特徴とする（３）に記載の浴室ユニット。
【００１４】
（５）  前記排水路の第２端末が係止片を有しており、当該係止片により前記第２端末を前記端末接続部に取り付けられたことを特徴とする（１）〜（４）の何れか一項に記載の浴室ユニット。
【００１５】
（６）  前記係止片が、前記排水路の第２端末と一体成形により形成されていることを特徴とする（５）に記載の浴室ユニット。
【発明の効果】
【００１６】
本発明によれば、漏水の排水端を浴槽エプロンの下端部に設けたことにより、浴室ユニットを使用している時や清掃時でも、洗い場側はもとより浴室ユニット室内側より排水端が完全に見えなくなり、外観の向上を図ることができる。
また、浴槽エプロンの下端部が前記洗い場パンの床面から離間して配置されているため、当該下端部に形成された排水端も洗い場パンの床面から離間して配置されている。これにより、浴槽エプロンや洗い場パンに掛かる湯水等が、排水端から排水経路側に逆流する事を阻止することができる。
また、排水が浴槽エプロン意匠面を伝わらず直接洗い場パン上に排出されることで、浴槽エプロン意匠面への汚れや水垢等の付着が無くなり、外観と清掃性の向上を図ることができる。
【図面の簡単な説明】
【００１７】
【図１】本発明の一実施形態である浴室ユニットの斜視図を示す。
【図２】浴槽及び漏水受具の断面図を示す。
【図３】循環アダプター及び漏水受具の斜視図を示す。なお、図３においては、浴槽エプロンを省略して示す。
【図４】浴槽エプロンに排水路端末部材が取り付けられた状態の斜視図を示す。
【図５】浴槽の洗い場側側面に取り付けられた浴槽エプロンの斜視図を示す。
【図６】浴槽エプロンの端末接続部と、当該端末接続部に接続された排水路端末部材の断面図を示す。
【図７】浴槽エプロンの端末接続部に排水路端末部材を接続する手順を示す斜視図であり、図７（ａ）は、排水路端末部材を端末接続部に対向させた様子を示し、図７（ｂ）は、排水路端末部材の先端部を端末接続部の接続穴に挿入した様子を示し、図７（ｃ）は、端末接続部に対し排水路端末部材の先端部を回転させ係止部を形成させた様子を示す。
【図８】従来技術の浴室ユニットの一部であり、図８（ａ）は斜視図を示し、図８（ｂ）はＶ断面図を示す。
【図９】従来技術の浴室ユニットの一部であり、図９（ａ）は上面図を示し、図９（ｂ）は断面図を示す。
【図１０】従来技術の浴室ユニットの一部を示す断面図である。
【発明を実施するための形態】
【００１８】
以下、本発明の一実施形態について図面を参照しながら説明する。なお、以下の説明で用いる図面は、特徴部分を強調する目的で、便宜上特徴となる部分を拡大して示している場合があり、各構成要素の寸法比率などが実際と同じであるとは限らない。また、同様の目的で、特徴とならない部分を省略して図示している場合がある。
【００１９】
図１に本発明の一実施形態である浴室ユニット１を示す。
浴室ユニット１は、浴槽２と、当該浴槽２に隣接する洗い場３Ａに設けられた洗い場パン３とを有している。この浴室ユニット１は、浴槽２側と洗い場３Ａ側とに分けられ、洗い場３Ａ側及び浴槽２側のうち洗い場３Ａ側にのみ床パン（洗い場パン３）が配置され、浴槽エプロン４が浴槽２及び洗い場３Ａと水密に連結される床ハーフ方式を採用したものである。
浴槽２は、床スラブ等の建物躯体床上に並べて設置される浴槽架台７上に設置され、その洗い場側の側面を覆う浴槽エプロン４が取り付けられている。この浴槽エプロン４は、その下端部４ｄを洗い場パン３の床面３ａに対して離間させるように取り付けられている。
【００２０】
この浴室ユニット１において、浴槽２の上縁面２ｂの洗い場パン３側を除く外周三方には、浴槽側壁パネル５ａが立設されている。また、洗い場パン３の上面である床面３ａの浴槽２側を除く外周三方には洗い場側壁パネル５ｂが立設されている。この外周三方のうち、建築物の条件等に合わせて何れかの位置にドア１１が立設され壁面と出入り口を構成している。
【００２１】
また、浴槽側壁パネル５ａ、洗い場側壁パネル５ｂ、並びにドア１１の各連結部には支柱１２が立設されており、浴槽側壁パネル５ａ、洗い場側壁パネル５ｂの上端と支柱１２の上端部に、天井パネル６を載置固定して天井を構成している。
【００２２】
図２に、浴槽２の断面図を示す。この浴槽２の側面には、浴槽貫通孔２ｃが設けられており、当該浴槽貫通孔２ｃには、図示略の燃焼機器と接続し、給湯及び追焚を行うための配管２０Ａ、２０Ｂが接続された循環アダプター８が設置されている。循環アダプター８の構造、及び材質は、特に限定されるものではなく、一般に普及しているものを用いる事ができる。
また、図３に、循環アダプター８の斜視図を示す。本実施形態の循環アダプター８は、ボディ部材８ａと、これらに取り付けられるカバー部材８ｂ及び、止水パッキン８ｃとから概略構成される。
【００２３】
また、循環アダプター８のボディ部材８ａには、浴槽２との間を止水する固定止水部８ｅと、浴室ユニット１外に設置された燃焼機器（図示略）から延びる配管２０Ａ、２０Ｂが直接接続される配管接続部８ｄとが形成されている。
燃焼機器は、給湯燃焼部と追焚燃焼部と、これらに付随する熱交換器を有し、配管２０Ａ、２０Ｂ、及び循環アダプター８を介し、浴槽２に給湯を行ったり、追焚を行ったりすることができる。
【００２４】
ボディ部材８ａは、浴槽２の裏面２ｄ（側面）側から、浴槽貫通孔２ｃに挿入され、浴槽２の内面２ｅ側からカバー部材８ｂを取り付けることで浴槽２の浴槽貫通孔２ｃに固定される。また、浴槽２の裏面２ｄ側であって、浴槽貫通孔２ｃの内周面と、浴槽２とボディ部材８ａの固定止水部８ｅとの間には、止水パッキン８ｃが挟み込まれ、これにより浴槽２の内面２ｅ側から、裏面２ｄ側への水漏れを抑制している。
【００２５】
図２、図３に示すように、浴槽２の裏面２ｄであって循環アダプター８の下方には、当該循環アダプター８の固定止水部８ｅと浴槽２の裏面２ｄの間、並びに配管接続部８ｄと配管２０Ａ、２０Ｂの間からの漏水を受けるための漏水受具９が配置されている。
【００２６】
漏水受具９は、漏水した水を一時的に貯めるためにトレイ状に形成された貯水部９ａを有する。貯水部９ａの側壁９ｃには、浴槽２の裏面２ｄに固定するための保持部９ｄが設けられている。この保持部９ｄにより浴槽２の裏面２ｄに例えば螺子固定されている。
【００２７】
なお、本実施形態においては、漏水受具９は、保持部９ｄを介し浴槽２の裏面２ｄに固定されているが、漏水受具９は循環アダプター８の下方に配置されていればその固定場所は限定されるものではない。例えば、循環アダプター８のボディ部材８ａに直接固定されていても良く、また、浴槽２の裏面２ｄを覆うように配置する浴槽エプロン４の裏面４ｅ（図４参照）に固定されていても良い。
また、本実施形態の漏水受具９の保持部９ｄは、浴槽２の裏面２ｄ側の側壁９ｃのみならず、これと対向する側壁９ｃにも形成されている。このように、対向する２つの側壁９ｃ、９ｃに保持部９ｄをそれぞれ形成することで、左右勝手違いの浴槽２の裏面２ｄに、漏水受具９を固定することができる。
【００２８】
漏水受具９の貯水部９ａの底部９ｅには、貯水部９ａにおいて受けた漏水を排水するための排水孔９ｂが形成されている。また、貯水部９ａの底部９ｅは、この排水孔９ｂに漏水が集中して排水されるように排水孔９ｂを最下点とする傾斜が設けられている。
排水孔９ｂに集中して排水される漏水は、漏水受具９の側壁９ｃの外側面において、前記排水孔９ｂに接続された排水路１４に送られる。
【００２９】
排水路１４は、一方の端末１４ａ（第１端末）が漏水受具９の排水孔９ｂに接続される排水チューブ１４Ａと、当該排水チューブ１４Ａの他方の端末１４ｂに取り付けられクランク管形状を有する排水路端末部材１５（第２端末）とから構成されている。排水路端末部材１５は、浴槽エプロン４の裏面４ｅ（即ち浴槽２側の面）に接続される。
排水チューブ１４Ａの材質は、金属、ゴム、合成樹脂等から適宜選択され、限定されるものでないが、設置する条件を勘案すると、外圧に対し変形し難く、しかも可撓性を有することが望ましい。
【００３０】
図４に、浴槽エプロン４に排水路端末部材１５が取り付けられた様子を浴槽２側からの斜視図として示す。排水路端末部材１５は、浴槽２の洗い場側の裏面２ｄを覆う浴槽エプロン４の裏面４ｅに設けられた端末接続部４ａに接続されている。
なお、浴槽２の裏面２ｄには、複数の浴槽エプロン４が設けられており、これらのうち、洗い場パン３に設けられた排水口（図示略）に最も近い浴槽エプロン４に端末接続部４ａが設けられていることが好ましい。
【００３１】
図５に浴槽２の側面に取り付けた浴槽エプロン４の斜視図を示す。なお、図５においては、浴槽２の側面に取り付けられる複数の浴槽エプロン４のうち、排水路１４の排水路端末部材１５が接続される端末接続部４ａが設けられた浴槽エプロン４のみを図示し、その他の浴槽エプロンを省略して示す。
この浴槽エプロン４は、上端部を浴槽２のフランジ部２ａ（図２参照）に下方から差し込まれるとともに、下端部４ｄを洗い場パン３の浴槽２側端部の取付部１３に固定することで、洗い場パン３と浴槽２とを連結し、洗い場パン３側から浴槽２裏面へ湯水が侵入することを防いでいる。
【００３２】
排水路１４は、上流部である排水チューブ１４Ａの端末１４ａ（第１端末）が貯水部９ａに接続され、下流部である排水路端末部材１５（第２端末）が浴槽エプロン４の端末接続部４ａに接続され、浴槽２の裏面２ｄと浴槽エプロン４の間に形成される空間内に配置されている。また、上流部の排水チューブ１４Ａの端末１４ａに対し、下流部の排水路端末部材１５が低くなるように配置されており、これにより上流から下流に対し排水勾配を形成している。
【００３３】
図６に、浴槽エプロン４の端末接続部４ａと、当該端末接続部４ａに接続された排水路端末部材１５の断面図を示す。
浴槽エプロン４の端末接続部４ａは、円形の接続穴４ｆを有する。また、浴槽エプロン４には、端末接続部４ａの接続穴４ｆと連通し、浴槽エプロン４の下端部４ｄに開口する排水端４ｃを備えた貫通孔４ｂが形成されている。
【００３４】
排水路端末部材１５の端末接続部４ａとの接続部には、上流側から順にフランジ部１５ｂと先端部１５ａが形成されている。先端部１５ａは、その外周が接続穴４ｆに嵌合可能な円形に形成されており、フランジ部１５ｂは、先端部１５ａの外径より大きく形成されている。また、先端部１５ａの外周にはＯリング１５Ａが装着されている。
【００３５】
排水路端末部材１５と浴槽エプロン４の裏面４ｅに設けられた端末接続部４ａの接続は、先端部１５ａを端末接続部４ａの接続穴４ｆに挿入し嵌合部１６を形成することで行うことができる。
接続穴４ｆと当該接続穴４ｆに挿入される先端部１５ａは、互いに嵌合可能な円形に形成されている。したがって、これらが嵌合されて形成された嵌合部１６において、先端部１５ａは、その円周方向に対し回動自在に接続されている。このように構成されていることにより浴槽２の左右勝手違い設置にも対応することができる。また、排水路１４の延伸方向の長さのばらつき等に影響されず、加えて全周方向からの接続を行うことができるため、スムーズに接続作業を行うことができ、施工性の向上を図ることができる。
また、このとき先端部１５ａの外周と接続穴４ｆの内周の間には、Ｏリング１５Ａが狭さみ込まれているため、漏水受具９から排水路１４を介し導入された排水が浴槽エプロン４の裏面４ｅ側に漏れ出すことを抑制できる。
【００３６】
排水路端末部材１５のフランジ部１５ｂには、係止片１０Ａが形成されている。この係止片１０Ａは、先端部１５ａの接続穴４ｆへの挿入方向に延びさらに半径方向内側に折れ曲った鉤状に形成されている。また、端末接続部４ａには、接続穴４ｆの外周に沿って当該係止片１０Ａと嵌合可能なフランジ部１０Ｂが形成されている。
排水路端末部材１５の係止片１０Ａを端末接続部４ａのフランジ部１０Ｂに係止させることで、端末接続部４ａから排水路端末部材１５が抜け落ちることを抑制することができる。
【００３７】
図７（ａ）〜（ｃ）に、端末接続部４ａの接続穴４ｆに排水路端末部材１５の先端部１５ａを挿入し、さらに、排水路端末部材１５の係止片１０Ａを端末接続部４ａのフランジ部１０Ｂに係止させる手順を説明する。
図７（ａ）に示すように、端末接続部４ａの接続穴４ｆの外周に沿って形成されるフランジ部１０Ｂは、接続穴４ｆの全周に形成されているものではなく、部分的に欠落した欠落部１０Ｃを有する。端末接続部４ａに入る排水路端末部材１５を接続させるにあたって、排水路端末部材１５の係止片１０Ａをこの欠落部１０Ｃの位置に合わせた状態で、排水路端末部材１５の先端部１５ａを接続穴４ｆに対向させる。
【００３８】
次に、図７（ｂ）に示すように、排水路端末部材１５のフランジ部１５ｂを端末接続部４ａのフランジ部１０Ｂに当接させるまで、排水路端末部材１５の先端部１５ａを接続穴４ｆに挿入し、これらが嵌合した嵌合部１６を形成する。この嵌合部１６において、先端部１５ａ及び接続穴４ｆは、ともに円形であるためこれらはその周方向に回動自在に構成される。
さらに、図７（ｃ）に示すように、端末接続部４ａに対して、排水路端末部材１５を周方向に回転させ、前記係止片１０Ａを端末接続部４ａのフランジ部１０Ｂに係止させた係止部１０を形成する。これにより端末接続部４ａから排水路端末部材１５が抜け落ちることを抑制できる。
【００３９】
浴槽エプロン４の浴槽２側に設けた端末接続部４ａの接続穴４ｆと浴槽エプロン４の下端部４ｄに開口する排水端４ｃが貫通孔４ｂにより連通されていることで、循環アダプター８からの漏水を排水路１４を通じて、洗い場パン３へ排水することができる。また、浴槽エプロン４の下端部４ｄが、図５に示すように、前記洗い場パン３の床面３ａから離間して配置されているため、洗い場パン３において、使用される湯水が、排水端４ｃから排水路１４側に逆流するのを防止することができる。
加えて、浴槽エプロン４の下端部４ｄに開口された排水端４ｃは、洗い場パン３側より死角となり見ることができない。さらに漏水が浴槽エプロン４の内部を通過し、漏水が浴槽エプロン４の意匠面を流れないことで、汚れや水垢の付着や変色等を起こすことが無い。
【００４０】
以上に説明した浴室ユニット１の実施形態において、端末接続部４ａ、貫通孔４ｂ、排水端４ｃを浴槽エプロン４と一体成形することで、部品点数の削減でき、これにより、部材コストと施工工数の低減を図ることができる。同様に、係止片１０Ａを排水路端末部材１５に一体成形することで、部材コストと施工工数の低減を図ることができる。
【００４１】
以上に、本発明の様々な実施形態を説明したが、各実施形態における各構成、及びそれらの組み合わせ等は一例であり、本発明の趣旨から逸脱しない範囲内で、構成の付加、省略、置換、及びその他の変更が可能である。また本発明は実施形態により限定されることはない。
【符号の説明】
【００４２】
１…浴室ユニット、２…浴槽、２ｃ…浴槽貫通孔、２ｄ…裏面（側面）、２ｅ…内面、３…洗い場パン、３Ａ…洗い場、３ａ…床面、４…浴槽エプロン、４ａ…端末接続部、４ｂ…貫通孔、４ｃ…排水端、４ｄ…下端部、４ｅ…裏面、４ｆ…接続穴、８…循環アダプター、９…漏水受具、９ａ…貯水部、９ｂ…排水孔、１０…係止部、１０Ａ…係止片、１０Ｂ、１５ｂ…フランジ部、１４…排水路、１４Ａ…排水チューブ、１４ａ…端末（第１端末）、１４ｂ…端末、１５…排水路端末部材（第２端末）、１５Ａ…Ｏリング、１５ａ…先端部、１６…嵌合部
【図１】
2015029862.tif 000003
【図２】
2015029862.tif 000004
【図３】
2015029862.tif 000005
【図４】
2015029862.tif 000006
【図５】
2015029862.tif 000007
【図６】
2015029862.tif 000008
【図７】
2015029862.tif 000009
【図８】
2015029862.tif 000010
【図９】
2015029862.tif 000011
【図１０】
2015029862.tif 000012